(57)【要約】【課題】一度閲覧したページデータを煩雑な操作を必要とすることなく自在に閲覧することが可能な通信装置を提供する。【解決手段】受信したページデータ毎に操作部１２５の複数のキーに順番に対応付けてメモリ１２６に記憶させ、キー全てにページデータが対応付けられていると記憶されている最古のページデータを消去して消去したページデータ以外の記憶ページデータの対応付けを各キーに対し順次シフトさせ、対応付けから解放されたキーに受信した新ページデータを対応付けてメモリ１２６に記憶させ、オフラインモード時にキーのいずれかのキーが操作された後に閲覧モードキー１２５ｃが操作されるとこのキーが対応付けられたメモリ１２６のページデータを表示部１２４に表示させ、表示ページ上でさらにページを更新する操作が行われるとオンライン接続して新たなページデータを受信させる制御回路１２７を設ける。【選択図】      図３
2004355441.tif 000002
【特許請求の範囲】
【請求項１】
閲覧するページデータを無線接続によりオンライン接続したネットワークを介して受信する通信装置であって、
複数のキーを含む入力手段と、
上記ページデータを表示可能な表示手段と、
上記ページデータを格納可能な記憶手段と、
上記受信したページデータ毎に、上記入力手段の複数のキーのいずれかのキーに対応付けて、当該対応付けたページデータを上記記憶手段に記憶し、上記入力手段の複数のキーのいずれかのキーが操作されると、当該操作されたキーが対応付けられたページデータを上記記憶手段から読み出して上記表示手段に表示させる制御手段と
を有する通信装置。
【請求項２】
上記制御手段は、上記ネットワークと非接続状態にあるオフラインモード時に、上記入力手段の複数のキーのいずれかのキーが操作されると、当該操作されたキーが対応付けられたページデータを上記記憶手段から読み出して上記表示手段に表示させる
請求項１記載の通信装置。
【請求項３】
上記制御手段は、上記表示手段に記憶ページデータを表示させたときに、上記オフラインモードを維持し、上記ネットワークとの非接続状態を保持させる
請求項２記載の通信装置。
【請求項４】
上記入力手段の複数のキーは、連続するように関連付けされたキーであり、
上記制御手段は、上記連続する関連付け順に従って上記受信したページデータを上記記憶手段に順次記憶する
請求項１から３のいずれか一に記載の通信装置。
【請求項５】
上記連続する関連付け順は、上記複数のキーに付された数字の順または上記複数のキーの配列順である
請求項４記載の通信装置。
【請求項６】
上記入力手段の複数のキーの全てに上記受信したページデータを対応付けて、当該対応付けされた複数のページデータが上記記憶手段に記憶されている状態において、
上記制御手段は、新たなページデータを受信した場合には、上記記憶手段に記憶されている最古のページデータを消去し、当該消去したページデータ以外の記憶ページデータの対応付けを各キーに対し順次シフトさせ、対応付けから解放されたキーに上記受信した新たなページデータを対応付けて当該ページデータを上記記憶手段に記憶する
請求項１から５のいずれか一に記載の通信装置。
【請求項７】
上記制御手段は、上記ネットワークと非接続状態にあるオフラインモード時に、上記入力手段の複数のキーのいずれかのキーが操作されると、当該操作されたキーが対応付けられたページデータを上記記憶手段から読み出して上記表示手段に表示させ、当該表示されているページ上でさらにページを更新する操作が行われると、上記ネットワークとオンライン接続して新たなページデータを受信させ、当該新たに受信したページデータおよび以降に受信するページデータを上記複数のキーに対応させて上記記憶手段に記憶する
請求項１から６のいずれか一に記載の通信装置。
【発明の詳細な説明】
【０００１】
【発明の属する技術分野】
本発明は、たとえば携帯電話のように、サーバ装置に格納されたページデータをネットワーク間ネットワーク（インターネット）を介して受信し、表示装置に表示して利用することが可能な通信装置に関するものである。
【０００２】
【従来の技術】
近年の携帯電話機の高機能化に伴い、携帯電話機を使った電子メール送受信やＷｅｂページの閲覧を行うサービスが普及しつつある。
【０００３】
たとえば、携帯電話機から無線で基地局（ＢＳ：Ｂａｓｅ  Ｓｔａｔｉｏｎ）に接続し、基地局からパケット制御装置およびＩＰアドレスと携帯電話番号に変換を行うパケット用ゲートウェイ等を経て、インターネット上のＷＷＷ（Ｗｏｒｌｄ  Ｗｉｄｅ  Ｗｅｂ）サーバへのアクセス、電子メール利用等のデータ通信が行われている。
【０００４】
また、携帯電話機にＷＥＢブラウザが用いるＨＴＭＬ（Ｈｙｐｅｒ  ＴｅｘｔＭａｒｋｕｐ  Ｌａｎｇｕａｇｅ）のサブセット機能を搭載し、ＵＲＬ（Ｕｎｉｆｏｒｍ  Ｒｅｓｏｕｒｃｅ  Ｌｏｃａｔｏｒ）を入力することで携帯電話機からインターネット上のＷＷＷサーバに直接アクセスするようにした通信システムも利用されている。
【０００５】
このようなシステムに適用可能な携帯電話機について、たとえばＷｅｂページ閲覧における検索やキー操作等については種々の提案がなされている（たとえば特許文献１参照）。
これらの携帯電話機においては、閲覧するために検索したＷｅｂページデータを受信し、受信したページデータを、液晶表示装置（ＬＣＤ；Ｌｉｑｕｉｄ  Ｃｒｙｓｔａｌ  Ｄｅｖｉｃｅ）等の表示装置に表示させる。
【０００６】
【特許文献１】
特開２００２−１６９６４４号公報
【０００７】
【発明が解決しようとする課題】
ところで、従来の携帯電話機において、ページデータを閲覧中に、表示しているページデータから前に閲覧したページデータに戻ることはキー操作（一般的にはクリアキー）などで可能であるが、一旦通信を切断した場合には、コンテンツを再度検索し直し、元のページにたどり着く必要があり、操作的にかなり煩らわしいという不利益がある。
また、携帯電話機の使用者は、複雑にツリー構成化したコンテンツ等においては、再度表示を所望するページへのアクセス方法を必ずしも覚えているとは限らず、結果的に所望するページへのアクセスが行えないという事態を招くおそれがある。
【０００８】
本発明は、かかる事情に鑑みてなされたものであり、その目的は、一度閲覧したページデータを煩雑な操作を必要とすることなく自在に閲覧することが可能な通信装置を提供することにある。
【０００９】
【課題を解決するための手段】
上記目的を達成するため、本発明の観点は、閲覧するページデータを無線接続によりオンライン接続したネットワークを介して受信する通信装置であって、複数のキーを含む入力手段と、上記ページデータを表示可能な表示手段と、上記ページデータを格納可能な記憶手段と、上記受信したページデータ毎に、上記入力手段の複数のキーのいずれかのキーに対応付けて、当該対応付けたページデータを上記記憶手段に記憶し、上記入力手段の複数のキーのいずれかのキーが操作されると、当該操作されたキーが対応付けられたページデータを上記記憶手段から読み出して上記表示手段に表示させる制御手段とを有する。
【００１０】
好適には、上記制御手段は、上記ネットワークと非接続状態にあるオフラインモード時に、上記入力手段の複数のキーのいずれかのキーが操作されると、当該操作されたキーが対応付けられたページデータを上記記憶手段から読み出して上記表示手段に表示させる。
【００１１】
好適には、上記制御手段は、上記表示手段に記憶ページデータを表示させたときに、上記オフラインモードを維持し、上記ネットワークとの非接続状態を保持させる。
【００１２】
好適には、上記入力手段の複数のキーは、連続するように関連付けされたキーであり、上記制御手段は、上記連続する関連付け順に従って上記受信したページデータを上記記憶手段に順次記憶する。
好適には、上記連続する関連付け順は、上記複数のキーに付された数字の順である。
また、上記連続する関連付け順は、上記複数のキーの配列順である。
【００１３】
好適には、上記入力手段の複数のキーの全てに上記受信したページデータを対応付けて、当該対応付けされた複数のページデータが上記記憶手段に記憶されている状態において、上記制御手段は、新たなページデータを受信した場合には、上記記憶手段に記憶されている最古のページデータを消去し、当該消去したページデータ以外の記憶ページデータの対応付けを各キーに対し順次シフトさせ、対応付けから解放されたキーに上記受信した新たなページデータを対応付けて当該ページデータを上記記憶手段に記憶する。
【００１４】
好適には、上記制御手段は、上記ネットワークと非接続状態にあるオフラインモード時に、上記入力手段の複数のキーのいずれかのキーが操作されると、当該操作されたキーが対応付けられたページデータを上記記憶手段から読み出して上記表示手段に表示させ、当該表示されているページ上でさらにページを更新する操作が行われると、上記ネットワークとオンライン接続して新たなページデータを受信させ、当該新たに受信したページデータおよび以降に受信するページデータを上記複数のキーに対応させて上記記憶手段に記憶する。
【００１５】
【発明の実施の形態】
以下、本発明の実施形態を添付図面に関連付けて説明する。
【００１６】
図１は、本発明に係る通信装置を採用した通信システムの一実施形態を示すシステム構成図である。
【００１７】
本通信システム１０は、図１に示すように、サーバ１１、通信装置としての携帯電話機１２、基地局１３、およびインターネット１４を有する。
【００１８】
サーバ１１は、基地局１３とインターネット１４で繋がっており、たとえば各種閲覧用ＷｅｂページデータＰＤを蓄積している。
本通信システム１０における携帯電話機１２は、通常の通話機能に加えて、無線接続によりサーバ１１に対して基地局１３、インターネット１４を介してオンライン接続し、閲覧を所望するページデータを受信し、受信したページデータを表示部に表示する機能を有している。本実施形態では、無線によりオンライン接続し閲覧を所望するページデータを受信する機能を「閲覧モード」と呼ぶこととする。
そして、本実施形態に係る携帯電話機１２は、インターネット１４に対する無線による接続機能に加えて、以下に詳述するように、無線通信を行わずインターネット１４と非接続状態にあるとき、過去の履歴を閲覧できる「オフラインモード」機能をさらに有している。
以下、携帯電話機１２の構成および機能について、図面に関連付けて詳細に説明する。なお、携帯電話機１２の機能についてはページデータの閲覧機能を中心に説明する。
【００１９】
まず、一般的なＷｅｂページの表示について簡単に説明する。
表示すべきＷｅｂページ本文は、通常ＨＴＭＬなどの規格化された記述子を用いて記述されている。ここには、表示すべき文章、その位置、色、サイズなどが記述されており、基本的にはこのＨＴＭＬ文書をインターネットブラウザ上で起動させるだけで、いつも同じ表示が行えるように構成されている。また、画像などのデータがあった場合には、この画像も記憶すると共に、その画像の表示されるべき位置が前述のＨＴＭＬ文書中に記載される。
ところで、ＨＴＭＬで記述された文書の中に、「次ページへ」などの文字列や画像にアンカーと呼ばれるものを付すこともできる。アンカーとは、ブラウザを使用してページを表示させた際に、上下左右キー１２５ｄにより選択させることができる文字列のことであり、選択中はこの表示した文字列に白黒反転や、枠で囲われた状態になる。さらにこの選択中において決定操作を行うことにより、このアンカー文字列に対応付けた機能、たとえば次のページの検索や、直前に入力されたキーワードでの検索の実行などを実行させることができる。このようなアンカーについてもＨＴＭＬ文書中に所定の規格に則り、記述される。
ページデータとは、上述したように、同じブラウザを用いた際に、同じ表示をさせるために必要最低限の記載をさせるべきデータのことである。
【００２０】
図２は、本実施形態に係る携帯電話機本体の外観図の１例であり、図３は、本実施形態に係る携帯電話機の主要な回路構成を示すブロック図の１例である。
【００２１】
携帯電話機１２は、図２および図３に示すように、本体ケース１２１、通信部１２２、音声部１２３、表示部１２４、入力手段としての操作部１２５、記憶手段としてのメモリ１２６、および制御回路１２７を有している。
【００２２】
通信部１２２は、送受信アンテナ１２２１、および無線回路１２２２により構成されている。
送受信アンテナ１２２１は、図２に示すように、本体ケース１２１の上端部に引き出し可能に設けられている。
無線回路１２２２は、電波を利用した無線通信で行うために、制御回路１２７で処理された音声情報、ＩＤ、Ｗｅｂページデータの閲覧要求情報等を変調してアンテナ１２２１により基地局１３に送信する。
また、無線回路１２２２は、基地局１３から無線により送信され、アンテナ１２２１で受信したページデータや音声情報等の各種情報を復調して制御回路１２７に出力する。
【００２３】
音声処理部１２３は、音声処理回路１２３１を有し、通話機能のために音声入力を行うマイクロフォン１２３２と音声出力を行うスピーカ１２３３が接続されている。
音声処理回路１２３１は、マイクロフォン１２３２により入力した音声に対して所定の処理を行って制御回路１２７に供給する。
また、音声処理回路１２３１は、制御回路１２７により供給された音声情報に対して所定の処理を行ってスピーカ１２３３から出力させる。
図２に示すように、マイクロフォン１２３２は、ケース本体１２１の操作部１２５の下部に配置され、スピーカ１２３３は表示部１２４の上部に配置されている。
【００２４】
表示部１２４は、図２に示すように、ケース本体１２１の上部側に配置された液晶表示装置（ＬＣＤ）等の表示デバイスを有し、通話機能のために入力した電話番号や各種メッセージ、閲覧モード時に受信したページデータ、あるいはオフラインモード時にメモリ１２６から読み出された過去に閲覧したページデータ等を表示する。
また、表示部１２４は、たとえば最上段の１行分は、モードの種類、電波の強さ、電池残量等を表示するガイド表示行として用いられる。
【００２５】
操作部１２５は、図２に示すように、ケース本体１２１の下部側に配置され、終了（終話）／電源キー１２５ａ、開始（発呼）キー１２５ｂ、閲覧モードキー１２５ｃ、上下左右キー１２５ｄ、ファンクションキー１２５ｅ、数字０〜９やア（あ）行〜ワ（和）行文字に対応した複数（１０個）のテンキー１２５ｆ、＊キー１２５ｇ、＃キー１２５ｈ、文字キー１２５ｉ、クリアキー１２５ｊ等を有する。
これらのキーのうち、たとえば閲覧モードキー（Ｗｅｂキー）１２５ｃを操作（押下）することにより「閲覧モード」を選択でき、ファンクションキー１２５ｅにより「オフラインモード」を選択できる。
また、たとえば複数のテンキー１２５ｆ、＊キー１２５ｇ、＃キー１２５ｈの１２個の各キーには、「閲覧モード」時に受信したページデータがあらかじめ決められた順番で対応付けされる。なお、対応付けされたページデータは制御回路１２７によりメモリ１２６に記憶される。
そして、ファンクションキー１２５ｅにより「オフラインモード」が選択されると、通信部１２２が非起動状態となり、無線接続が行われない「オフラインモード」となる。この状態でも、記憶したページデータに対応したキーを押下（閲覧モードキー１２５ｃを押下）すると、制御回路１２７により押下されたキーに対応付けられたページデータがメモリ１２６から読み出されて表示部１２４に表示される。
【００２６】
記憶手段としてのメモリ１２６は、たとえばＥＥＰＲＯＭを含んで構成され、上述したように、「閲覧モード」時において、複数のテンキー１２５ｆ、＊キー１２５ｇ、＃キー１２５ｈの１２個の各キーに対応付けされた受信ページデータが、制御回路１２７により記憶される。
また、メモリ１２６には、通話やメールの送受信のための制御プログラムドインターネットブラウザ、メッセージデータ、名前および電話番号が登録されたアドレス帳等も記憶される。
【００２７】
制御回路１２７は、マイクロコンピュータを主体して構成されて携帯電話機１２の全体の制御を行う。たとえば、制御回路１２７は、通信部１２２における各種情報の無線による送受信の制御、音声処理部１２３に対する音声情報の処理、表示部１２４への情報の表示制御、操作部１２５の入力情報に応じた処理、およびメモリ１２６への処理に応じたアクセス制御等を行う。
そして、制御回路１２７は、「閲覧モード」、および「オフラインモード」時において、以下のような制御を行う。
【００２８】
制御回路１２７は、「閲覧モード」時に、通信部１２２により受信したページデータ毎に、表示部１２４に表示し、かつ、操作部１２５の複数のキー、本実施形態では、複数のテンキー１２５ｆ（数字キー０〜９）、＊キー１２５ｇ、＃キー１２５ｈの計１２個のキーに順番に自動的に対応付け、この対応付けたページデータをメモリ１２６に記憶させる。
【００２９】
上記１２個のキーは、連続するように関連付けされたキーであり、制御回路１２７は、連続する関連付け順に従って受信したページデータをメモリ１２６に順次記憶させる。
本実施形態において、複数のキーの連続する関連付け順は、図２に示すように配列された複数のキーに付された数字の順であり、複数のキーの配列順である。
たとえば、１２個のページデータＰＤ−Ａ〜ＰＤ−Ｌを、ＰＤ−Ａから順に通信部１２６を通して受信すると、制御回路１２７は、図４に示すように、数字キー「１」にページデータＰＤ−Ａを対応付け、数字キー「２」にページデータＰＤ−Ｂを対応付け、数字キー「３」にページデータＰＤ−Ｃを対応付け、数字キー「４」にページデータＰＤ−Ｄを対応付け、数字キー「５」にページデータＰＤ−Ｅを対応付け、数字キー「６」にページデータＰＤ−Ｆを対応付け、数字キー「７」にページデータＰＤ−Ｇを対応付け、数字キー「８」にページデータＰＤ−Ｈを対応付け、数字キー「９」にページデータＰＤ−Ｉを対応付け、＊キーにページデータＰＤ−Ｊを対応付け、数字キー「０」にページデータＰＤ−Ｋを対応付け、＃キーにページデータＰＤ−Ｌを対応付ける。
このように、キーと受信したページデータはテーブル管理されており、受信したページデータＰＤ−Ａ〜ＰＤ−Ｌがキー配列の見た目順にメモリ１２６に記憶されていく。
【００３０】
制御回路１２７は、たとえばネットワークと非接続状態にある「オフラインモード」時に、１２個のキーのいずれかのキーが操作されると、操作されたキーに対応付けられたページデータをメモリ１２６から読み出して表示部１２４に表示させる。この場合、制御回路１２７は、表示部１２４に記憶ページデータを表示させたときに、「オフラインモード」を維持し、通信部１２２にネットワークとの非接続状態を保持させる。
【００３１】
制御回路１２７は、図４に示すように、操作部１２５の複数のテンキー１２５ｆ（数字キー０〜９）、＊キー１２５ｇ、＃キー１２５ｈの１２個のキー全てに受信したページデータを対応付けて、この対応付けされた複数のページデータがメモリ１２６に記憶されている状態において、次の処理を行う。
制御回路１２７は、図４の状態において、新たなページデータを受信した場合には、図５に示すように、メモリ１２６に記憶されている最古のページデータＰＤ−Ａを消去し、この消去したページデータＰＤ−Ａ以外の記憶ページデータＰＤ−Ｂ〜ＰＤ−Ｌの対応付けを各キーに対し順次シフトさせ、対応付けから解放された＃キーに受信した新たなページデータＰＤ−Ｍを対応付けて、このページデータＰＤ−Ｍをメモリ１２６に記憶する。
この場合、制御回路１２７は、図５に示すように、数字キー「１」にページデータＰＤ−Ｂを対応付け、数字キー「２」にページデータＰＤ−Ｃを対応付け、数字キー「３」にページデータＰＤ−Ｄを対応付け、数字キー「４」にページデータＰＤ−Ｅを対応付け、数字キー「５」にページデータＰＤ−Ｆを対応付け、数字キー「６」にページデータＰＤ−Ｇを対応付け、数字キー「７」にページデータＰＤ−Ｈを対応付け、数字キー「８」にページデータＰＤ−Ｉを対応付け、数字キー「９」にページデータＰＤ−Ｊを対応付け、＊キーにページデータＰＤ−Ｋを対応付け、数字キー「０」にページデータＰＤ−Ｌを対応付け、＃キーにページデータＰＤ−Ｍを対応付ける。
【００３２】
また、制御回路１２７は、ネットワークと非接続状態にある「オフラインモード」時であったとしても、操作部１２５のページデータの対応付けに用いられるいずれかのキーが操作された後に閲覧モードキー１２５ｃが押下されると、上述したように、操作されたキーが対応付けられたページデータをメモリ１２６から読み出して表示部１２４に表示させ、この表示されているページ上でアンカーの付された文字列を選択決定されページを更新する操作が行われると、通信部１２２が起動されネットワークとオンライン接続して新たなページデータを受信させる。そして、制御回路１２７は、この新たに受信したページデータおよび以降に受信するページデータを複数のキーに対応させてメモリ１２６に記憶させる。
【００３３】
次に、上記構成による動作を、図５、図６、および図７に関連付けて説明する。
図６は、「閲覧モード」時の受信ページデータの処理を説明するためのフローチャートである。図７は、「オフラインモード」時の処理を説明するためのフローチャートである。図８は、インターネット閲覧を行う場合の具体的な処理例を示す図であって、（Ａ）はオンライン接続時（閲覧モード時）の処理を、（Ｂ−１）は「オフラインモード」の記憶ページデータを表示部１２４に表示させた表示例を、（Ｂ−２）は対応付け用キーを操作して所望の履歴表示を行った例を示す図である。
なお、図８においては、１〜９の各キーに対応付けて受信したページデータを表示している場合を示している。また、図８（Ｂ−１）は、キー「１」にはトップメニューが、キー「２」は料金・設定メニューが、キー「３」にはＷｅｂリストが、キー「４」には有料情報サービスが、キー「５」にはパスワードの登録指示メニューが、キー「６」にはパスワード入力画面が、キー「７」にはパスワード確認用メニューが、キー「８」にはパスワード入力画面が、キー「９」にはパスワードの登録メッセージが、それぞれ順番に対応付けて自動登録される例を示している。
また、図８（Ｂ−２）は、「オフラインモード」において、キー「２」、キー「４」、キー「６」、キー「８」、キー「５」を操作した後に閲覧モードキー１２５ｃを操作したときの記憶ページデータの履歴表示例を示している。
【００３４】
まず、閲覧モード時において、Ｗｅｂページを閲覧する場合には、操作部１２５の閲覧モードキー（Ｗｅｂキー）１２５ｃが操作（押下）される。これに伴い、制御回路１２７により通信部１２２を介して所望するページデータをダウンロードさせる送信要求が無線により発せられる（ＳＴ１）。
この送信要求は、携帯電話機１２が位置する領域を担当する基地局１３、インターネット１４を通してサーバ１１に伝達される。そして、サーバ１１から要求したページデータがインターネット１４に転送され、基地局１３を通して要求したページデータが無線によりダウンロードされる。
【００３５】
ダウンロードされたページデータは、通信部１２２で受信され制御回路１２７に供給される（ＳＴ２）。そして、受信したページデータは制御回路１２７により受信したページデータがインターネットブラウザを用いて表示部１２４に表示され（ＳＴ３）、かつ、操作部１２５の１２個のキーのうち、対応付けに用いられていない一つのキーに図４や図５に示す順で対応付けされてメモリ１２６に記憶される（ＳＴ４）。
【００３６】
以上と同様の操作および処理により、図８（Ａ）、（Ｂ−１）に示すように、制御回路１２７は、「閲覧モード」時に、通信部１２２により受信したページデータ毎に、操作部１２５の複数のテンキー１２５ｆ（数字キー０〜９）、＊キー１２５ｇ、＃キー１２５ｈの計１２個のキーに順番に自動的に対応付けされて、、表示部１２４に表示され、かつ、メモリ１２６に記憶される。
【００３７】
このように、複数のページデータを受信した場合には、制御回路１２７において、操作部１２５の複数のテンキー１２５ｆ（数字キー０〜９）、＊キー１２５ｇ、＃キー１２５ｈの１２個のキー全てに受信してページデータが対応付けらているか否かの判別が行われる（ＳＴ５）。
ここで、新たなページデータを受信した場合に、ステップＳＴ５において、１２個のキー全てに受信したページデータが対応付けられていると判別されると、メモリ１２６に記憶されている最古のページデータが消去される（ＳＴ６）。
そして、消去したページデータ以外の記憶ページデータの対応付けを各キーに対し順次シフトさせる処理が図５に示すように行われ、消去したページデータが対応付けられていたキーが対応付けから解放される（ＳＴ７）。次いで、対応付けから解放されたキーに受信した新たなページデータが対応付けされて（ＳＴ８）、この新たなページデータがメモリ１２６に記憶される。
【００３８】
次に、履歴表示を行う場合には、たとえばファンクションキー１２５ｅ等により「オフラインモード」が選択される（ＳＴ１１）。
この「オフラインモード」で、図８（Ｂ−１），（Ｂ−２）に示すように、操作部１２５のページデータの対応付けに用いられるいずれかのキーが操作された後に閲覧モードキー１２５ｃが操作されると、操作されたキーが対応付けられたページデータがメモリ１２６から読み出され（ＳＴ１３）、インターネットブラウザを用いて表示部１２４に表示される（ＳＴ１４）。
そして、たとえば表示されているページ上でアンカーの付された文字列を選択決定する等のページを更新する操作が行われると（ＳＴ１５）、通信部１２２が起動されネットワークとオンライン接続されて、所望のデータの送信要求が発せられる（ＳＴ１６）。これに伴い、新たなページデータが通信部１２２を通して受信される。
この新たに受信したページデータが表示部１２４に表示され、また、新たに受信したページデータおよび以降に受信するページデータが上記と同様に複数のキーに対応させてメモリ１２６に記憶される（ＳＴ１７）。
【００３９】
以上説明したように、本実施形態によれば、「閲覧モード」時に受信したページデータ毎に、表示部１２４に表示し、かつ、操作部１２５の複数のキーに順番に自動的に対応付け、この対応付けたページデータをメモリ１２６に記憶させ、新たなページデータを受信した場合に、キー全てに受信したページデータが対応付けらているとメモリ１２６に記憶されている最古のページデータを消去して消去したページデータ以外の記憶ページデータの対応付けを各キーに対し順次シフトさせ、対応付けから解放されたキーに受信した新たなページデータが対応付けて新たなページデータをメモリ１２６に記憶させ、「オフラインモード」時に、キーのいずれかのキーが操作されると、操作されたキーが対応付けられたページデータをメモリ１２６から読み出して表示部１２４に表示させ、「オフラインモード」を維持し、表示されているページ上でさらにページを更新する操作が行われると、ネットワークとオンライン接続して新たなページデータを受信させる制御回路１２７を設けたので、以下の効果を得ることができる。
一度閲覧したページデータを煩雑な操作を必要とすることなく自在に閲覧することができる。
また、これらの閲覧ページデータは保存しておくことが可能であることから、たとえば電波状況の悪い状態でも履歴閲覧が可能となる。
さらに、端末装置内に保存しているデータであることから、新たにインターネットに接続する際に発生するパケットデータが必要なくなり、使用者にとって無駄な通信費を発生させずに済むだけでなく、ネットワークのトラフィックを低下させることにもなり、結果としてシステムのコスト削減を図れる利点もある。
【００４０】
なお、本実施形態では、対応付けに１２個のキーを用いた例を説明したが、仕様に応じた数のキーを用いることが可能であることはいうまでもない。
また、オンライン中においても、履歴として残しておきたいページがあれば、たとえばテンキーの長押し等によりブックマークとして残せる機能を持たせることも可能である。
【００４１】
【発明の効果】
以上説明したように、本発明によれば、一度閲覧したページデータを煩雑な操作を必要とすることなく自在に閲覧することができる利点がある。
【図面の簡単な説明】
【図１】本発明に係る通信装置を採用した通信システムの一実施形態を示すシステム構成図である。
【図２】本実施形態に係る携帯電話機の外観図である。
【図３】本実施形態に係る携帯電話機本体の主要な回路構成を示すブロック図である。
【図４】操作部の複数のキーに受信したページデータを対応付ける例を示す図である。
【図５】操作部の複数のテンキーの全てに受信したページデータを対応付けて、この対応付けされた複数のページデータがメモリに記憶されている状態における制御回路の処理を説明するための図である。
【図６】「閲覧モード」時の受信ページデータの処理を説明するためのフローチャートである。
【図７】「オフラインモード」時の処理を説明するためのフローチャートである。
【図８】インターネット閲覧を行う場合の具体的な処理例を示す図であって、（Ａ）はオンライン接続時（閲覧モード時）の処理を、（Ｂ−１）は「オフラインモード」の記憶ページデータを表示部に表示させた表示例を、（Ｂ−２）は対応付け用キーを操作して所望の履歴表示を行った例を示す図である。
【符号の説明】
１０…通信システム
１１…サーバ
１２…携帯電話機
１２１…本体ケース
１２２…通信部
１２２１…送受信アンテナ
１２２２…無線回路
１２３…音声処理部
１２３１…音声処理回路
１２３２…マイクロフォン
１２３３…スピーカ
１２４…表示部
１２５…操作部
１２６…メモリ
１２７…制御回路
１３…基地局
１４…インターネット
【図１】
2004355441.tif 000003
【図２】
2004355441.tif 000004
【図３】
2004355441.tif 000005
【図４】
2004355441.tif 000006
【図５】
2004355441.tif 000007
【図６】
2004355441.tif 000008
【図７】
2004355441.tif 000009
【図８】
2004355441.tif 000010